(57)【要約】【課題】原稿の読取途中に電源が遮断され、その後に電源が投入されて全ての原稿について再度の読取が行われた場合にも、電源遮断前に読み取られていた原稿については重複した読取を行わない。【解決手段】再度の読取に際し、全ての原稿がセットされた場合、不揮発性メモリ５０に記憶されている枚数カウント値を読み出す。この枚数カウント値は前回の読取に際して電源遮断前に読取が完了している原稿の枚数となっている。そして、電源投入後の再読込に際しては、この枚数カウント値になるまで、読取部２０ｂは原稿の画像を読み取らずに通過させる。そして、再読込時の原稿搬送枚数が、枚数カウント値に達した場合、読取部２０ｂはその次の原稿から読み取りを開始する。この場合、枚数カウント値は不揮発性メモリ５０に記憶されているため、電源が遮断されてもその値が保存されているから、読取部２０が既に読み取った原稿の画像を重複して読み取ることはない。【選択図】図１
2007201709.tif 000002
【特許請求の範囲】
【請求項１】
読取位置に搬送された原稿の画像を読み取って画像データを生成する読取手段と、
所定位置に載置された原稿を前記読取位置に順次搬送する自動原稿送り手段と、
前記自動原稿送り手段が原稿の搬送を開始してから前記読取手段によって読み取られた原稿の枚数を計数するカウント手段と、
前記カウント手段のカウント結果を記憶する不揮発性の記憶手段と、
前記自動原稿送り手段が電源投入後に最初に原稿の搬送を行うときは、前記カウント手段のカウント結果が、前記記憶手段内のカウント結果と等しくなるまで前記読取手段による読取動作を禁止し、前記カウント手段のカウント結果が前記記憶手段内のカウント結果の次の値となってから読取動作の禁止を解除する読取禁止手段と
を具備することを特徴とする原稿読取装置。
【請求項２】
前記カウント手段は前記自動原稿送り手段に載置された原稿が全て搬送し終えたときにそのカウント値がリセットされる
ことを特徴とする請求項１に記載の原稿読取装置。
【請求項３】
前記読取禁止手段の動作の実行、非実行を切り替えるスイッチ手段を有し、
前記読取禁止手段は前記スイッチ手段が実行側に切り替えられているときにだけ前記読取動作の禁止を行う
ことを特徴とする請求項１または２に記載の原稿読取装置。
【請求項４】
原稿読み取りにおける読み取り条件を示す情報を受け取って記憶する読取条件記憶手段を有し、
前記読取禁止手段が前記読取動作の禁止を解除した後は、前記読取手段は前記読取条件記憶手段に記憶された条件に従って読取動作を実行する
ことを特徴とする請求項１から３いずれかに記載の原稿読取装置。
【発明の詳細な説明】
【技術分野】
【０００１】
本発明は、原稿の画像を読み取る原稿読取装置に関する。
【背景技術】
【０００２】
原稿トレーにセットされた複数枚の原稿を１枚ずつ取り込み、取り込んだ原稿の画像を読み取る画像読取装置において、原稿戻し機能を有した装置がある（例えば、特許文献１）。この原稿戻し機能を有した画像読取装置は、画像の読み取りが完了した原稿の枚数を記憶し、画像の読み取り動作中にジャムなどが発生して動作が中断した後、原稿トレーに全原稿がセットされて、読み取りが再開されると、記憶している原稿の枚数分の原稿については、画像を読み取らずに排出する。このため、全ての原稿を再度セットして画像の読み取りを再開しても、読み取られた画像が重複することはない。
【特許文献１】特開２００１−２９６７０３号公報
【発明の開示】
【発明が解決しようとする課題】
【０００３】
しかしながら、上述した特許文献では、画像の読み取り動作中に予期せぬトラブルが起こり、電源が遮断された場合、読み取りが完了した原稿の枚数の値が消えてしまう。このため、電源を再投入した後に、上述した原稿戻し機能を実行することができないという問題があった。
【０００４】
本発明は上記事情に鑑みてなされたものであり、電源の遮断・再投入を行った場合にも、原稿戻し機能を実行することができる原稿読取装置を提供する。
【課題を解決するための手段】
【０００５】
上述した課題を解決するために本発明は、読取位置に搬送された原稿の画像を読み取って画像データを生成する読取手段と、所定位置に載置された原稿を前記読取位置に順次搬送する自動原稿送り手段と、前記自動原稿送り手段が原稿の搬送を開始してから前記読取手段によって読み取られた原稿の枚数を計数するカウント手段と、前記カウント手段のカウント結果を記憶する不揮発性の記憶手段と、前記自動原稿送り手段が電源投入後に最初に原稿の搬送を行うときは、前記カウント手段のカウント結果が、前記記憶手段内のカウント結果と等しくなるまで前記読取手段による読取動作を禁止し、前記カウント手段のカウント結果が前記記憶手段内のカウント結果の次の値となってから読取動作の禁止を解除する読取禁止手段とを具備する原稿読取装置を提供する。
【０００６】
また、本発明の好ましい態様において、前記カウント手段は前記自動原稿送り手段に載置された原稿が全て搬送し終えたときにそのカウント値がリセットされる。
さらに好ましい態様においては、前記読取禁止手段の動作の実行、非実行を切り替えるスイッチ手段を有し、前記読取禁止手段は前記スイッチ手段が実行側に切り替えられているときにだけ前記読取動作の禁止を行う。
また、より望ましい様態においては、原稿読み取りにおける読み取り条件を示す情報を受け取って記憶する読取条件記憶手段を有し、前記読取禁止手段が前記読取動作の禁止を解除した後は、前記読取手段は前記読取条件記憶手段に記憶された条件に従って読取動作を実行する。
【発明の効果】
【０００７】
本発明によれば、画像の読み取り動作中に電源の遮断・再投入を行っても、電源遮断前の読み取り動作や設定を自動的に引き継いで、画像の読み取りが行われる。
【発明を実施するための最良の形態】
【０００８】
以下、本発明に関する実施形態について図面を参照しながら説明する。
＜構成＞
図１は本発明の実施形態である画像読取装置１００の構成を示すブロック図である。図１に示すように、画像読取装置１００は制御部１０を備える。この制御部１０はＣＰＵ１１を含み、このＣＰＵ１１はＲＯＭ１２に格納されている各種制御プログラムに基づいて動作し、ＲＡＭ１３をワークエリアとして用いる。これにより、制御部１０は画像読取装置１００全体の動作を制御する。
【０００９】
図２は自動原稿送り部２０ａと読取部２０ｂの構成を示す断面図である。自動原稿送り部２０ａは、原稿がセットされるトレイ２１を有し、トレイ２１の下流側に設けられた引き込みローラ２３ａは、トレイ２１にセットされた原稿を1枚ずつ自動原稿送り部２０ａの筐体内部に引き込む。また、搬送ローラ２３ｂ、２３ｃは、引き込まれた原稿を読取部２０ｂのプラテンガラス２４上に一定の速度で搬送する。
原稿検知センサ３１はトレイ２１上に設けられ、トレイ２１上にセットされた原稿を検知し、原稿検知信号Ｓ１を出力する。
【００１０】
バックプラテン２５は、読取部２０ｂのプラテンガラス２４の上方に設けられ、搬送された原稿をこのプラテンガラス２４に押しつける。また、光源２６は、プラテンガラス２４の所定の位置に設定されている原稿読み取り位置において、原稿に光を照射する。ミラー２７ａ、２７ｂ、２７ｃは、原稿により反射された反射光（原稿画像）の光路を変更してレンズ２８に供給する。レンズ２８は、供給された反射光を集光し、ＣＣＤ（Charge Coupled Devices）センサ２９上に結像させる。ＣＣＤセンサ２９は例えば４ラインのＣＣＤセンサであり、入力された反射光（原稿画像）に応じてアナログ画像信号を出力する。画像処理部２２は、出力されたアナログ画像信号をデジタルの画像データに変換して、各種処理を行う。
搬送ローラ２３ｄ、２３ｅは、画像が読み取られた原稿を排出口に向けて搬送し、排出させる。
【００１１】
不揮発性メモリ５０は、ＣＰＵ１１によってデータの書き込み、および読み出しが行われるメモリであり、画像読取装置１００の電源が遮断されても、記憶されたデータを保持する。本実施形態において、不揮発性メモリ５０には、以下のような記憶エリアや情報が設定されている。
【００１２】
不揮発性メモリ５０には、画像が読み取られた原稿の枚数を示す数値を記憶する、枚数記憶エリア５０１が設けられている。ＣＰＵ１１は、原稿の画像が読み取られる毎に、この枚数記憶エリア５０１に記憶されている枚数カウント値を読み出してカウントアップ処理し、そのカウントアップ処理した結果の値、すなわち新たな枚数カウント値を枚数記憶エリア５０１に書き込む。
また、不揮発性メモリ５０には、画像の読み取り動作における読取設定の情報を記憶する読取設定記憶エリア５００が設けられている。ＣＰＵ１１は、表示操作部４０から入力された読取設定情報を読取設定記憶エリア５００に書き込む。
さらに、不揮発性メモリ５０には、原稿トレイ２１にセットされた全ての原稿について、画像の読み取りが完了したか否かを示す、読取完了フラグ５０２が設けられている。この読取完了フラグ５０２は「１」のときに原稿の読み取りが全て完了したことを示す。
【００１３】
記憶部５１は、例えばハードディスク装置などであり、画像データ記憶エリア５１０が設けられている。画像データ記憶エリア５１０内には、画像が読み取られた原稿束毎にフォルダが作成され、読取部２０ｂにより読み取られた画像データは、このフォルダ内に記憶される。また、本実施形態において、フォルダ内には、タイムスタンプ記憶エリア５１１が設けられている。ここで、ＣＰＵ１１は、タイムカウンタを内蔵している。このタイムカウンタは、所定周波数のクロックをカウントして、現在時刻を表すタイムスタンプ情報を出力する。ＣＰＵ１１は、画像データを画像データ記憶エリア５１０に記憶させる度に、当該フォルダ内のタイムスタンプ記憶エリア５１１に、現在の時刻を表すタイムスタンプ情報を書き込む。これにより、フォルダ内のタイムスタンプ記憶エリア５１１には、常に画像データが最後に記憶された時刻を表すタイムスタンプ情報が記憶されている。
【００１４】
原稿通過センサ３０は、図２に示すようにプラテンガラス２４の下流側に設けられ、原稿が通過すると原稿通過信号Ｓ０を出力する。すなわち、原稿通過センサ３０はプラテンガラス２４上で画像を読み取られた原稿が通過する度に、原稿通過信号Ｓ０を出力する。
【００１５】
表示操作部４０は、液晶ディスプレイとその表示面に重ねて配置される透明のタッチパネルとを備える。表示操作部４０は、制御部１０の制御に基づいて、操作を促すメッセージや処理状況を示す種々の表示を行うとともに、各種の操作の入力も受け付ける。この表示操作部４０が押圧されると、ＣＰＵ１１によって押圧位置が検出され、表示操作部４０に入力された指示の内容が制御部１０に認識されるようになっている。表示操作部４０には、例えば図３に示す画面などが表示される。
また、図３に示すように、表示操作部４０の右方には、「スタート」ボタン４２を備える。この「スタート」ボタン４２が押されると、スタートの指示を示す操作信号が出力される。制御部１０は、この操作信号が出力されると、指定された動作の処理を開始する。
【００１６】
＜動作＞
（通常モードの動作）
次に、本実施形態の動作について説明する。まず、表示操作部４０は、図３に示す画面が表示された状態において、画像の読取設定の入力を受け付ける。この読取設定とは、画像の読み取り条件であり、図３に示すように、カラー処理をするか、白黒処理をするかを決定するカラーモード設定、原稿の片面の画像を読み取るか、両面の画像を読み取るかを決定する両面原稿送りの設定、原稿の画質を設定する画質設定などの項目がある。ここで、カラーモードについて「白黒」のボタンが押されると、制御部１０は読取設定記憶エリア５００に白黒処理を示す読取設定情報を記憶させるとともに、表示操作部４０に表示している「白黒」のボタンの色を反転させて表示する。
【００１７】
続いて、自動原稿送り部２０ａのトレイ２１に、一束の原稿がセットされ、表示操作部４０の「スタート」ボタン４２が押されると、自動原稿送り部２０ａはセットされた一束の原稿の内、１枚目の原稿を筐体内に引き込む。引き込まれた原稿は、搬送ローラ２３ｂ、２３ｃによりプラテンガラス２４上に搬送される。
【００１８】
次に、制御部１０は、読取設定記憶エリア５００に記憶されている読取設定情報に基づいて、制御を行う。搬送された原稿は、まずバックプラテン２５によりプラテンガラス２４に押さえつけられ、読み取り位置において光源２６から光を照射される。光源２６から照射された光は原稿で反射され、その反射光はミラー２７ａ、２７ｂ、２７ｃにより光路を変更されてレンズ２８に集光され、ＣＣＤセンサ２９で結像される。ＣＣＤセンサ２９により変換されたアナログ画像信号は画像処理部２２によりデジタルの画像データに変換され、処理される。この場合、読取設定情報として「白黒」が設定されていた場合は、画像データは白黒画像データとして生成され、記憶される。
制御部１０はこの画像データを記憶させるにあたって、記憶部５１の画像データ記憶エリア５１０にフォルダを生成して、フォルダ内に画像データを記憶させるとともに、当該フォルダのタイムスタンプ記憶エリア５１１にタイムスタンプ情報を書き込む。続いて、制御部１０は、不揮発性メモリ５０に設定されている読取完了フラグ５０２を「０」にする。
【００１９】
次に、上述のようにプラテンガラス２４上で画像を読み取られた原稿は、原稿通過センサ３０を通過する。これにより、原稿通過センサ３０は原稿通過信号Ｓ０を出力する。制御部１０は、この原稿通過信号Ｓ０を受け取ると、枚数記憶エリア５０１に記憶されている枚数カウント値を読み出してカウント値を１アップし、そのカウントアップ処理した値を枚数記憶エリア５０１に書き込む。この場合、枚数記憶エリア５０１は初期状態においてリセットされているので、枚数カウント値は「１」となる。
続いて、原稿通過センサ３０を通過した原稿は、搬送ローラ２３ｄ、２３ｅにより排出口に向けて搬送され、排出される。
【００２０】
次に、制御部１０は原稿検知センサ３１から原稿検知信号Ｓ１が出力されているか否かを判断する。ここで、原稿検知信号Ｓ１が出力されている場合は、トレイ２１上に未だ原稿が残っている場合であるから、制御部１０は画像を読み取るべき次原稿があると判断し、自動原稿送り部２０ａに次原稿を取り込む指示を行う。自動原稿送り部２０ａは上述の場合と同様にして原稿を取り込み、読取部２０ｂは取り込んだ原稿の画像を読み取る。制御部１０は、この画像読み取り動作の処理を、原稿検知信号Ｓ１が出力されている限り繰り返す。以上のように、１枚目の原稿の画像データが記憶されているフォルダと同じフォルダに、順次２枚目以降の原稿の画像データが記憶されていく。このとき、フォルダ内のタイムスタンプ記憶エリア５１１には、最後の画像データが記憶された時点のタイムスタンプ情報が記録される。
一方、原稿検知信号Ｓ１が出力されない場合、制御部１０は画像を読み取るべき次原稿がないと判断する。これにより制御部１０は、不揮発性メモリ５０に記憶されている読取完了フラグ５０２を「１」にする。
【００２１】
また、原稿検知信号Ｓ１が出力されている状態で、画像読み取り処理が中断し、電源が遮断された場合は、その時点の不揮発性メモリ５０の内容がそのまま保存される。すなわち、読取完了フラグ５０２は「０」のままとなり、枚数記憶エリア５００に記憶されている枚数カウント値は、その時点まで読み取られた原稿の枚数となる。例えば、トレイ２１に２００枚の原稿束がセットされ、読取部２０ｂが１枚ずつ原稿の画像を読み取っていき、１５０枚の原稿の画像を読み取ったところで電源が遮断された場合は、読取完了フラグ５０２は「０」となり、枚数カウント値は「１５０」となる。
【００２２】
（引き継ぎモードの動作）
次に、不揮発性メモリ５０に記憶されている読取設定情報や枚数カウント値に基づいて、画像の読み取りを行う「引き継ぎモード」について説明する。画像読取装置１００が画像を読み取っている間に問題が発生し、電源が遮断され、その後に再投入される場合がある。この場合、原稿トレイ２１に再度全ての原稿がセットされ、表示操作部４０に図３に示す画面が表示された状態で、図３に示す画面の右上角部に設けられた「前ジョブ設定」ボタン４１が押されると、制御部１０は図４に示す引継ぎモードの動作の処理を開始する。
【００２３】
まず、制御部１０は不揮発性メモリ５０に記憶されている読取完了フラグ５０２を読み出し、その値が「１」か否かを判断する（ステップＳＡ１）。ここで、ステップＳＡ１の判断がＮＯ、すなわち読取完了フラグが「１」ではない場合、制御部１０は不揮発性メモリ５０内の枚数記憶エリア５０１に記憶されている枚数カウント値を、ＲＡＭ５３に設けられたカウント結果を記憶するエリアに一時記憶させる（ステップＳＡ３）。例えば、読取完了フラグ５０２が「０」であり、枚数記憶エリア５０１に記憶されている枚数カウント値が「１５０」である場合、制御部１０はＲＡＭ５３のカウント結果を記憶するエリアに「１５０」という値を記憶させる。続いて、制御部１０は不揮発性メモリ５０内の枚数記憶エリア５０１に記憶されている枚数カウント値を「０」にリセットする（ステップＳＡ４）。
【００２４】
次に、制御部１０は、記憶部５１の各フォルダに設けられたタイムスタンプ記憶エリア５１１から、各フォルダのタイムスタンプ情報を読み出し、最新のタイムスタンプ情報が記憶されているフォルダを検出する（ステップＳＡ５）。これにより、制御部１０は、電源が遮断される直前に、読み取った画像データを記憶させていたフォルダを認識することができる。
【００２５】
続いて、自動原稿送り部２０ａは原稿トレイ２１にセットされた一枚目の原稿を取り込み、読取部２０ｂに搬送する。読取部２０ｂは原稿読み取り位置に搬送された一枚目の原稿に対し、読取設定記憶エリア５００に記憶されている読取設定情報に基づいて、この原稿の画像をＣＣＤセンサ２９で読み取る（ステップＳＡ６）。ステップＳＡ６において画像を読み取られた原稿は原稿通過センサ３０を通過して筐体外に搬送される。これにより、原稿通過センサ３０は原稿通過信号Ｓ０を出力し、制御部１０は枚数記憶エリア５０１に記憶されている枚数カウント値をカウントアップする（ステップＳＡ７）。例えば、一枚目の原稿が通過した場合は、枚数記憶エリア５０１に記憶されている枚数カウント値は「１」になる。
次に、制御部１０は、枚数記憶エリア５０１に記憶されているカウント値とＲＡＭ５３に記憶されているカウント結果の値とを比較し、枚数カウント値がカウント結果の値より大きいか否かを判断する（ステップＳＡ８）。例えば、カウント結果の値が「１５０」であり、枚数カウント値が「１」である場合、枚数カウント値がカウント結果の値より小さいため、ステップＳＡ８の判断は「ＮＯ」となる。
【００２６】
ステップＳＡ８の判断がＮＯである場合、制御部１０は、ステップＳＡ６において読み取った画像のアナログ画像信号を破棄する（ステップＳＡ９）。次に、制御部１０は、原稿トレイ２１にセットされた次の原稿を取り込み、ステップＳＡ６からステップＳＡ８の処理を行う。そして、ステップＳＡ８の判断結果がＹＥＳになるまで、この処理を繰り返す。
【００２７】
一方、ステップＳＡ８の判断がＹＥＳ、すなわち枚数カウント値がカウント結果の値より大きい場合、制御部１０は、ステップＳＡ６において読み取った画像のアナログ画像信号を画像データに変換し、ステップＳＡ５で検出したフォルダ内の画像データ記憶エリア５１０に記憶させる（ステップＳＡ１０）。
【００２８】
次に、制御部１０は原稿検知センサ３１から原稿検知信号Ｓ１が出力されているか否かを判断し（ステップＳＡ１１）、ステップＳＡ１１の判断がＮＯであった場合、不揮発性メモリ５０に設けられた読取完了フラグ５０２を「１」にする（ステップＳＡ１３）。一方、ステップＳＡ１１の判断がＹＥＳであった場合、制御部１０は自動原稿送り部２０ａに次原稿を取り込む指示を行い、読取設定記憶エリア５００に記憶されている読取設定情報に基づいて、この原稿の画像をＣＣＤセンサ２９で読み取る（ステップＳＡ１２）。次に、制御部１０はステップＳＡ１０からステップＳＡ１１の処理を行い、ステップＳＡ１１の判断がＮＯになるまでこの処理を繰り返す。
これにより、画像読取装置１００は画像読み取り動作中に電源の遮断、再投入がなされても、前回画像読み取りを行った際の読取設定情報や読み取りが完了した原稿の枚数の情報を引き継いで、画像の読み取りを行うことができる。
【００２９】
なお、ステップＳＡ１において、この判断がＹＥＳ、すなわち不揮発性記憶部５０に設けられた読取完了フラグ５０２が「１」であり、一束の原稿において全ての画像の読み取り動作が完了している場合、制御部１０は原稿トレイ２１にセットされた次の一束の原稿を取り込む制御を行うが、このような場合、読取設定情報については、不揮発性メモリ５０に記憶されている前回の読取設定情報を引き継ぐ。すなわち、制御部１０は、不揮発性メモリ５０に記憶されている前回の読取設定情報に基づいて、原稿の画像を読み取り（ステップＳＡ２）、ステップＳＡ１０以降の処理を行う。
これにより、次の原稿に対して、前回と同様の読取設定で画像の読み取りを行わせる場合、表示操作部４０に再度同じ読取設定を入力する必要がない。
【００３０】
＜変形例＞
以上、本発明の実施形態について説明したが、本発明は上述した実施形態に限定されることなく、他の様々な形態で実施可能である。
（１）上述した実施形態では、表示操作部４０に「前ジョブ設定」ボタンを設け、この「前ジョブ設定」ボタンが押されることを契機として「引き継ぎモード」の動作を行ったが、以下のようにしてもよい。
制御部１０が、不揮発性メモリ５０に設けられている読取完了フラグ５０２を読み出し、この読取完了フラグ５０２が「０」、すなわち画像の読み取りが完了していない場合、他の操作を待つことなく自動的に「引き継ぎモード」に切り替えて、処理を行ってもよい。
【００３１】
また、不揮発性メモリ５０に、異常終了を示す異常終了フラグを記憶するエリアを設け、制御部１０は、画像読取装置１００の電源が遮断されるときに、この異常終了のフラグを「１」にする。そして、画像読取装置１００の電源が再投入されると、制御部１０は不揮発性メモリ５０の異常終了フラグを読み出し、この異常終了フラグが「１」である場合は「引き継ぎモード」に切り替えて、処理を行ってもよい。
【００３２】
（２）上述した実施形態では、読取設定記憶エリア５００に読取設定情報を記憶させて、「引き継ぎモード」の動作の際にはこの読取設定情報に基づいて画像の読み取りを行ったが、「引き継ぎモード」の動作の際に、表示操作部４０より新たに入力された読取設定に基づいて画像の読み取りを行ってもよい。
【００３３】
（３）上述した実施形態では、図４に示すステップＳＡ３において、枚数記憶エリア５０１に記憶されている枚数カウント値を「０」にリセットしたが、原稿が全て搬送し終えたときに枚数カウント値を「０」にリセットしてもよい。
【００３４】
（４）上述した実施形態では、原稿トレイ２１から引き込まれた原稿の画像をＣＣＤセンサ２９が読み取り、枚数カウント値がカウント結果の値以下であれば（ステップＳＡ８：ＮＯ）読み取った画像のアナログ画像信号を破棄したが、ＣＣＤセンサ２９自体の画像の読取動作を禁止してもよい。
【図面の簡単な説明】
【００３５】
【図１】本発明の実施形態である画像読取装置１００の構成を示すブロック図である。
【図２】同実施形態に係る自動原稿送り部２０ａと読取部２０ｂの構成を示す断面図である。
【図３】同実施形態に係る表示操作部４０に表示される画面を示す図である。
【図４】同実施形態に係る引継ぎモードの動作を示すフロー図である。
【符号の説明】
【００３６】
１００…画像読取装置、１０…制御部、１１…ＣＰＵ、１２…ＲＯＭ、１３…ＲＡＭ、２０ａ…自動原稿送り部、２０ｂ…読取部、２１…トレイ、２２…画像処理部、２３ａ…引き込みローラ、２３ｂ、２３ｃ、２３ｄ、２３ｅ…搬送ローラ、２４…プラテンガラス、２５…バックプラテン、２６…光源、２７ａ、２７ｂ、２７ｃ…ミラー、２８…レンズ、２９…ＣＣＤセンサ、３０…原稿通過センサ、３１…原稿検知センサ、４０…表示操作部、４１…「前ジョブ設定」ボタン、４２…「スタート」ボタン、５０…不揮発性メモリ、５１…記憶部、５００…読取設定記憶エリア、５０１…枚数記憶エリア、５０２…読取完了フラグ、５１０…画像データ記憶エリア、５１１…タイムスタンプ記憶エリア。
【図１】
2007201709.tif 000003
【図２】
2007201709.tif 000004
【図３】
2007201709.tif 000005
【図４】
2007201709.tif 000006